(57)【要約】【課題】コンテンツの編集作業を容易にすることができる撮像装置、撮影レンズおよび電子機器を提供する。【解決手段】撮像装置１０は、表示部３０３と、複数の撮影済みコンテンツと、各撮影済みコンテンツを撮影したときの撮影条件とを記録する記録部２１０と、複数の撮影済みコンテンツを所定のグループごとに管理する中央制御部２０６と、複数の撮影済みコンテンツのそれぞれを表す縮小画像を表示部３０３に表示させる表示制御部２０７とを有する。表示制御部２０７は、時間の流れを示すＨ軸に沿ってグループごとに縮小画像を表示させるとともに、Ｈ軸と異なる方向のＶ軸に沿って各グループのそれぞれに属する複数の縮小画像を同じ撮影条件の撮影済みコンテンツで纏めて並び替えて表示部３０３に表示させる。【選択図】図２
2020205479.tif 000002
【特許請求の範囲】
【請求項１】
表示部と、
複数の撮影済みコンテンツと、各撮影済みコンテンツを撮影したときの撮影条件とを記録する記録部と、
前記複数の撮影済みコンテンツを所定のグループごとに管理する管理手段と、
前記複数の撮影済みコンテンツのそれぞれを表す画像を前記表示部に表示させる表示制御手段と、
を備え、
前記表示制御手段は、時間の流れを示す第１の軸に沿って前記グループごとに前記画像を表示させるとともに、前記第１の軸と異なる方向の第２の軸に沿って各グループのそれぞれに属する複数の前記画像を同じ撮影条件の撮影済みコンテンツで纏めて並び替えて前記表示部に表示させることを特徴とする撮像装置。
【請求項２】
前記撮影条件は、前記撮影済みコンテンツが撮影されたときに前記撮像装置に装着されていた撮影レンズの種類と、前記撮影済みコンテンツが撮影されたときに前記撮像装置に装着されていたアクセサリの使用状況と、前記撮影済みコンテンツが撮影されたときの前記撮影レンズの向きとの少なくとも１つを含むことを特徴とする請求項１に記載の撮像装置。
【請求項３】
前記表示制御手段は、同じ撮影条件で撮影された撮影済みコンテンツを表す画像に対して同じマークを付与して、前記表示部に表示させることを特徴とする請求項１または２に記載の撮像装置。
【請求項４】
前記表示制御手段は、前記第２の軸に沿って表示される複数の画像のうち、同じ撮影条件の画像のみを前記表示部に表示させることを特徴とする請求項１乃至３のうち何れか１項に記載の撮像装置。
【請求項５】
前記表示制御手段は、複数の撮影条件が全て一致している前記撮影済みコンテンツを表す画像を纏めて並び替えを行うことを特徴とする請求項１乃至４のうち何れか１項に記載の撮像装置。
【請求項６】
前記撮影条件は、変更可能であることを特徴とする請求項１乃至５のうち何れか１項に記載の撮像装置。
【請求項７】
撮影指示に用いられる撮影指示手段と、
再撮影指示に用いられる再撮影指示手段と、
前記第１の軸に沿って表示されている複数の画像のうち何れか１つを選択する選択手段と、
を備え、
前記管理手段は、前記撮影指示手段を用いて撮影指示がされたときに撮影されたコンテンツを新たなグループに属する撮影済みコンテンツとして管理し、前記選択手段により前記画像が選択されていない状態で前記再撮影指示手段を用いて再撮影指示がされたときのコンテンツを最後に撮影されたコンテンツと同じグループに属する撮影済みコンテンツとして管理し、前記選択手段により画像が選択された状態で前記再撮影指示手段を用いて再撮影指示がされたときに撮影されたコンテンツを選択されたコンテンツと同じグループに属する撮影済みコンテンツとして管理することを特徴とする請求項１乃至６のうち何れか１項に記載の撮像装置。
【請求項８】
請求項１に記載の撮像装置に着脱可能な撮影レンズ。
【請求項９】
複数の撮影済みコンテンツと、各撮影済みコンテンツを撮影したときの撮影条件とを取得する取得手段と、
前記複数の撮影済みコンテンツを所定のグループごとに管理する管理手段と、
前記複数の撮影済みコンテンツのそれぞれを表す画像を表示部に表示させる表示制御手段と、
を備え、
前記表示制御手段は、前記表示部に、時間の流れを示す第１の軸に沿ってグループごとに前記画像を表示させるとともに、前記第１の軸と異なる方向の第２の軸に沿って各グループのそれぞれに属する複数の前記画像を、同じ撮影条件の撮影済みコンテンツで纏めて並び替えて前記表示部に表示させることを特徴とする電子機器。
【発明の詳細な説明】
【技術分野】
【０００１】
本発明は、コンテンツを表す画像の表示制御を行う撮像装置、撮影レンズおよび電子機器に関する。
【背景技術】
【０００２】
近年、インターネット等の通信ネットワークを利用した動画配信サービスが普及しており、ユーザは、撮影した動画コンテンツを動画配信サービスにアップロードすることができる。この際、ユーザは、撮影された複数の動画コンテンツを、視聴に適するように編集を行う。関連する技術として、コンテンツオブジェクトを３次元空間に並べて表示する技術が特許文献１に提案されている。特許文献１の技術では、ｘ軸は所定時間範囲に区分され、ｙ軸はタグ情報の組み合わせに応じて異なるタイムラインに区分される。また、同一の所定時間範囲に含まれ且つ同一のタグ情報を有する複数のコンテンツオブジェクトはｚ軸に並べて表示される。
【先行技術文献】
【特許文献】
【０００３】
【特許文献１】特開２０１１−０７１８１３号公報
【発明の概要】
【発明が解決しようとする課題】
【０００４】
例えば、ユーザは、動画コンテンツの編集を行う際、撮影された複数の動画コンテンツを画面上で比較して、視聴に適した動画コンテンツを選択する作業を行うことがある。ここで、比較対象の動画コンテンツの数が多くなると、動画コンテンツを選択する作業が難しくなるという問題がある。特許文献１の技術は、同一の所定時間範囲に含まれ且つ同一のタグ情報を有する複数のコンテンツオブジェクトをｚ軸に並べて表示している。しかしながら、ｚ軸に並べて表示されているコンテンツオブジェクトの数が多くなると、やはり動画コンテンツを選択する作業が難しくなる。その結果、コンテンツの編集作業の煩雑化を招来する。
【０００５】
本発明は、コンテンツの編集作業を容易にすることができる撮像装置、撮影レンズおよび電子機器を提供することを目的とする。
【課題を解決するための手段】
【０００６】
上記目的を達成するために、本発明の撮像装置は、表示部と、複数の撮影済みコンテンツと、各撮影済みコンテンツを撮影したときの撮影条件とを記録する記録部と、前記複数の撮影済みコンテンツを所定のグループごとに管理する管理手段と、前記複数の撮影済みコンテンツのそれぞれを表す画像を前記表示部に表示させる表示制御手段と、を備え、前記表示制御手段は、時間の流れを示す第１の軸に沿って前記グループごとに前記画像を表示させるとともに、前記第１の軸と異なる方向の第２の軸に沿って各グループのそれぞれに属する複数の前記画像を同じ撮影条件の撮影済みコンテンツで纏めて並び替えて前記表示部に表示させることを特徴とする。
【発明の効果】
【０００７】
本発明によれば、コンテンツの編集作業を容易にすることができる。
【図面の簡単な説明】
【０００８】
【図１】撮像装置の斜視図である。
【図２】撮像装置の内部構成を示すブロック図である。
【図３】可動部の分解斜視図である。
【図４】動画コンテンツの管理を行うユーザ操作画面を示す図である。
【図５】動画コンテンツの管理処理の流れを示すフローチャートである。
【図６】縮小画像の並べ替え処理を説明する図である。
【発明を実施するための形態】
【０００９】
以下、本発明の実施形態について図面を参照しながら詳細に説明する。しかしながら、以下の実施形態に記載されている構成はあくまで例示に過ぎず、本発明の範囲は実施形態に記載されている構成によって限定されることはない。
【００１０】
以下、図面を参照して、本実施形態について説明する。図１は、撮像装置の斜視図である。図１（ａ）は、レンズユニット５０を外した状態の撮像装置１０を背面側から見た斜視図である。図１（ｂ）は、レンズユニット５０を外した状態の撮像装置１０を第１の操作部３０１側から見た斜視図である。
【００１１】
撮像装置１０は、可動部２０と固定部３０とヒンジユニット４０とレンズユニット５０とを有する。可動部２０と固定部３０とは、ヒンジユニット４０によって、相対的に回転可能に接続されている。レンズユニット５０は、可動部２０に着脱可能に構成されている。従って、撮影レンズとしてのレンズユニット５０は、撮像装置１０に着脱可能である。レンズユニット５０と可動部２０とには、バヨネット式の取り付け構造が採用されている。レンズユニット５０にはバヨネット爪部５０７が形成され、可動部２０にはレンズマウント２１１が形成されている。レンズマウント２１１は、レンズ装着手段に対応する。可動部２０に対してレンズユニット５０を取り付ける場合には、まず、ユーザが、レンズマウント２１１の内側に形成されている切欠きに対してバヨネット爪部５０７の突出部を位置合わせする。そして、ユーザは、レンズユニット５０を可動部２０へ挿入し、光軸を中心にレンズユニット５０を回転させる。これにより、可動部２０に対してレンズユニット５０が装着される。
【００１２】
レンズマウント２１１からは、レンズ回転規制部２０４の一部である可動ピン２０４ａ（図３）が突出している。可動ピン２０４ａがレンズユニット５０側の凹部５０８に係合することで、レンズ回転規制部２０４は、可動部２０に対してレンズユニット５０が装着された状態から回転して外れてしまうことを規制する。レンズユニット５０を可動部２０から取り外す場合、ユーザは、第２の操作部２０２を操作する。第２の操作部２０２が操作されることで、可動ピン２０４ａが内側に退避して、レンズユニット５０のバヨネット爪部５０７とレンズマウント２１１との係合が解除される。これにより、レンズユニット５０を取り外すことができる。可動部２０の内部構造の詳細は後述する。レンズユニット５０が可動部２０に装着された状態では、図２に示されるように、可動部２０のインターフェース部２０５とレンズユニット５０のインターフェース部５０６とが電気的に接続されている。なお、図２において、インターフェース部は「ＩＦ」と表記される。インターフェース部２０５とインターフェース部５０６とが電気的に接続されている状態で、レンズユニット５０と可動部２０は相互通信を行うことが可能になる。
【００１３】
可動部２０は、ヒンジユニット４０に保持されている。ヒンジユニット４０は、主にチルト回転ヒンジ４０１とパン回転ヒンジ４０２とで構成される２軸ヒンジである。チルト回転ヒンジ４０１は、回転軸Ｔに対して回転可能に可動部２０を支持している。また、パン回転ヒンジ４０２は、回転軸Ｐに対して回転可能に固定部３０を支持している。従って、ユーザは、チルト回転ヒンジ４０１およびパン回転ヒンジ４０２を適宜操作することにより、固定部３０に対して、可動部２０およびレンズユニット５０を様々な姿勢に遷移させることができる。また、ヒンジユニット４０は、チルト回転ヒンジ４０１およびパン回転ヒンジ４０２が停止した状態で一定量の保持力を有する。該保持力は、レンズユニット５０および可動部２０の重量を受けた状態でヒンジユニット４０が停止姿勢を維持する静トルクよりも高くなるように設定される。従って、所定のポジションでは、ユーザが被写体に対してレンズユニット５０を向けてヒンジユニット４０の回転を停止させる操作を行うと、レンズユニット５０および可動部２０がそのままの姿勢を維持し続けることができる。また、可動部２０はアクセサリシュー２０８を有する。アクセサリシュー２０８は、撮像装置１０に外部アクセサリが取り付け可能な部位である。アクセサリシュー２０８には、例えば、ビデオライトや外付けマイク等のアクセサリを装着することができる。
【００１４】
固定部３０は表示部３０３を有する。表示部３０３は、ＬＣＤ（Ｌｉｑｕｉｄ  Ｃｒｙｓｔａｌ  Ｄｉｓｐｌａｙ）や有機ＥＬ（Ｅｌｅｃｔｒｏ−ｌｕｍｉｎｅｓｃｅｎｃｅ）ディスプレイ等によって構成される。表示部３０３は、撮影画像の表示や撮影条件を設定する画面等を表示する表示部である。以下、表示部３０３は、タッチパネルディスプレイであるものとして説明する。ただし、表示部３０３とは別途の入力機能が、撮像装置１０に設けられていてもよい。また、固定部３０は、把持部３０４を有する。把持部３０４は、固定部３０の端部に形成される。把持部３０４の表面は、弾性を有する材料によって構成され、例えばエチレンプロピレンジエンゴム（ＥＰＤＭ）やシリコンゴム等が採用される。
【００１５】
ユーザは、把持部３０４を両手のうち一方の手で保持したまま、他方の手でレンズユニット５０と可動部２０を自由に回転操作することができる。これにより、様々なアングルからの撮影を行うことができる。また、ユーザが把持部３０４を把持した状態で操作可能な位置に第１の操作部３０１が配置されている。第１の操作部３０１は、第１のボタン３０１ａ、第２のボタン３０１ｂおよびタッチパッド３０１ｃを含む。第１のボタン３０１ａは、撮影指示（テイク指示）を行うための部材である。第２のボタン３０１ｂは、再撮影指示（リテイク指示）を行うための部材である。タッチパッド３０１ｃは、スライド操作を行うための部材である。タッチパッド３０１ｃは、選択手段に対応する。
【００１６】
図２は、撮像装置１０の内部構成を示すブロック図である。最初に、レンズユニット５０について説明する。撮影光学系５０１は、複数のレンズや複数のレンズを保持するホルダ、ズーム機構、フォーカス機構、振れ補正機構等を有する。また、レンズユニット５０は、絞りユニット５０２を有する。絞りユニット５０２には、例えば、複数の薄い遮光シートを駆動させることによって、光軸を中心に形成される開口の大きさを可変にする光彩絞りユニットが採用される。レンズ駆動部５０３は、ズーム機構やフォーカス機構、振れ補正機構、アクチュエータを有する。該アクチュエータは、絞りユニット５０２等を駆動するために用いられる。これらの各機構に対して適用されるアクチュエータは、駆動に必要な推力や速度、ストローク、停止精度、消費電力、製造コスト等を考慮して適宜選定がされる。例えば、上記のアクチュエータとしては、ＤＣモータやステッピングモータ、ＵＳＭ（Ｕｌｔｒａｓｏｎｉｃ  Ｍｏｔｏｒ）等が採用される。
【００１７】
レンズ制御部５０４はモータドライバＩＣを含み、レンズ駆動部５０３の各種アクチュエータを駆動制御する。レンズユニット５０と可動部２０とが、インターフェース部５０６およびインターフェース部２０５によって電気的に接続されることで、レンズ制御部５０４と後述の中央制御部２０６とが相互に通信を行うことができる。レンズユニット５０は、さらに振れ検出部５０５を有する。振れ検出部５０５は、ジャイロセンサや加速度センサ等から構成される。振れ検出部５０５からの入力情報は、レンズ制御部５０４へ伝達され、インターフェース部５０６およびインターフェース部２０５を介してアナログ信号またはデジタルデータとして中央制御部２０６へ伝送される。
【００１８】
次に、可動部２０の内部構成について説明する。可動部２０は、撮像部２０１を有する。撮像部２０１は、ＣＣＤ（Ｃｈａｒｇｅ  Ｃｏｕｐｌｅｄ  Ｄｅｖｉｃｅ）センサやＣＭＯＳ（Ｃｏｍｐｌｅｍｅｎｔａｒｙ  ＭＯＳ）センサ等の光電変換素子およびローパスフィルタを有して構成される。例えば、ローパスフィルタは水晶からなり、赤外線カット処理が施される。ローパスフィルタは、赤外線の入射を防止するとともに、色モアレ等の発生を防止する。中央制御部２０６は、撮像装置１０の全体を制御するＣＰＵ（中央演算処理装置）を含む。中央制御部２０６は、制御手段に対応する。各実施形態の制御は、所定のメモリのプログラムをＣＰＵが実行することにより実現される。中央制御部２０６は、様々なコンテンツや情報の表示制御を行う表示制御部２０７を含む。表示制御部２０７は、表示制御手段に対応する。表示制御部２０７は、中央制御部２０６とは別途に設けられていてもよい。以下、各実施形態において、コンテンツは、動画コンテンツであるものとして説明する。ただし、コンテンツは、動画コンテンツには限定されない。例えば、コンテンツは、静止画や音声等のコンテンツであってもよい。
【００１９】
撮像部２０１から中央制御部２０６へ入力される電気信号は映像信号に変換された後、適宜、任意の映像データ（画像データ）に加工される。映像信号に対する加工は、画像切り出しおよび回転加工による電子防振動作も含む。中央制御部２０６は、撮影により取得された映像データおよび該映像データを撮影したときの撮影情報を、記録部２１０に記録する。撮影情報は、動画コンテンツを撮影したときの撮影条件を含む。例えば、撮影条件としては、レンズユニット５０の種類や焦点距離、焦点距離範囲、アクセサリの使用状況、レンズユニット５０の向きの情報等がある。撮影条件は、撮影に関する他の条件を含んでいてもよい。また、撮影情報には、他の情報（撮影日時や各種設定等の情報等）が含まれていてもよい。さらに、記録部２１０には、他の情報が記録されてもよい。
【００２０】
第２の操作部２０２は、レンズユニット５０を可動部２０から取り外す場合にユーザが操作する部材である。第２の操作部２０２は、複数のポジション間を遷移することができる。位置検出部２０３は、第２の操作部２０２のポジションを検出する。位置検出部２０３は、例えば、受光量に応じて出力信号が変化する透過型のフォトインタラプタ等により第２の操作部２０２のポジションを検出する。位置検出部２０３が検出した検出結果は中央制御部２０６へ伝送される。また、第２の操作部２０２に対する操作により、レンズ回転規制部２０４が動作する。レンズ回転規制部２０４の一部である可動ピン２０４ａは、レンズマウント２１１の表面から突出するポジションと、レンズマウント２１１の表面から退避するポジションとの間を往復動作することが可能である。
【００２１】
次に、固定部３０の内部構成について説明する。固定部３０は、第１の操作部３０１、電源部３０２、表示部３０３および把持部３０４を有する。第１の操作部３０１は、ユーザが把持部３０４を片手で把持した状態で操作可能な位置に配置される。電源部３０２には、例えば、アルカリ２次電池やリチウムイオン２次電池等を搭載したバッテリパックが採用される。また、電源部３０２は、ヒンジユニット４０の内部に配線されるワイヤハーネス等を経由して、中央制御部２０６と電気的に接続される。そして、撮像装置１０のシステムに対して電源が供給される。
【００２２】
次に、ヒンジユニット４０の内部構成について説明する。ヒンジユニット４０は、第１の角度検出部４０３および第２の角度検出部４０４を有する。第１の角度検出部４０３および第２の角度検出部４０４は、回転角度を検知する検知スイッチ等により構成される。第１の角度検出部４０３は、上述したチルト回転ヒンジ４０１の回転を検知することが可能である。第２の角度検出部４０４は、上述したパン回転ヒンジ４０２の回転を検知することができる。第１の角度検出部４０３および第２の角度検出部４０４は、固定部３０に対する可動部２０のパン方向およびチルト方向への回転を検知できる。第１の角度検出部４０３および第２の角度検出部４０４からの入力情報は、中央制御部２０６へ伝送される。
【００２３】
次に、可動部２０およびヒンジユニット４０の内部構造の詳細について説明する。図３は、可動部２０の分解斜視図である。レンズマウント２１１は、ビス２１５ａ、２１５ｂ、２１５ｃおよび２１５ｄによりベース部材２１２に固定される。ベース部材２１２は、金属ダイキャスト部品を有する。該金属ダイキャストには、例えば、マグネシウム合金ダイキャストやアルミ合金ダイキャスト等が採用される。そして、ベース部材２１２は、レンズ回転規制部２０４およびインターフェース部２０５を有する。
【００２４】
インターフェース部２０５は、複数の接点ピンと、コイルばね等の付勢部材と、これらを内包する樹脂ケースとを有する。複数の接点ピンが、樹脂ケースの開口部から突出している。接点ピンは不図示の付勢部材で裏側から常時付勢されている。さらに、接点ピンは、樹脂ケース表面から内部方向へスライド移動することができるように構成される。インターフェース部２０５には、フレキシブルプリント基板２１４が接続されている。接点ピンの突出位置によって、フレキシブルプリント基板２１４の内部に配線されている導電パターンと接点ピンとが電気的に導通する。接点ピンが、一定量、樹脂ケース表面から内部方向へ押し込まれると、接点ピンとフレキシブルプリント基板２１４の導電パターンとが電気的に導通する。
【００２５】
可動部２０は、さらに側面カバー２１３を有する。側面カバー２１３には、アクセサリシュー２０８が２本のビス２１６によって固定される。アクセサリシュー２０８に形成されているビス穴からビス２１７ａおよび２１７ｂが側面カバー２１３の逃げ穴を介してベース部材２１２に締結されることによって、側面カバー２１３はベース部材２１２に固定される。そして、ベース部材２１２に対して撮像部２０１がビス２２３ａ、２２３ｂ、２２３ｃによって固定される。撮像部２０１は、光電変換素子やローパスフィルタ等を有する。撮像部２０１は、光電変換素子と電気的に接続される硬質パッケージ、硬質パッケージを実装するプリント基板、プリント基板に実装される種々の電子部品および硬質パッケージを予め接着固定した金属プレートを有する。硬質パッケージには、例えばセラミック基材の多層基板が採用される。硬質パッケージの内部には、導体パターンが形成されている。そして、導体パターンの一部は表面に露出する電極端子に接続されており、該電極端子の一部と光電変換素子とはワイヤボンディング等の手法によって電気的に接続される。さらに硬質パッケージの電極端子は、種々の電子部品とともにリフロー半田付け法等によってプリント基板に実装される。上述した金属プレートは、撮像部２０１をベース部材２１２に取り付けるための部材である。金属プレートに対して硬質パッケージが位置合わせされた後、硬質パッケージの側面と金属プレートの端面とが接着固定される。接着固定に用いる接着剤には、例えば紫外線の照射によって光エネルギーに反応して硬化する紫外線硬化樹脂等が採用される。
【００２６】
以上の部品によって構成される撮像部２０１とベース部材２１２とは、その間にコイルばね２２２ａ、２２２ｂ、２２２ｃを挟み込んだ状態でビスにより固定される。従って、撮像部２０１は、ベース部材２１２に対して光軸方向に若干量変位可能に支持される。そしてビス２２３ａ、２２３ｂ、２２３ｃの締め込み量が調整されると、ベース部材２１２に対する撮像部２０１の撮像面の傾きが調整される。調整作業が完了すると、ビス２２３ａ、２２３ｂ、２２３ｃの緩みを防止するため、金属プレートと各ビスとが接着固定される。
【００２７】
上述したように、ヒンジユニット４０は、主にチルト回転ヒンジ４０１とパン回転ヒンジ４０２とで構成される。チルト回転ヒンジ４０１は、可動部２０に固定される２つのアーム部４０１ａ、４０１ｂを有する。なお、図３において、アーム部４０１ｂは、図示されていない。一方のアーム部４０１ａには、アーム部４０１ａに対して回転軸Ｔまわりに回転可能にホルダ２１８ａが支持される。そして他方のアーム部４０１ｂには、アーム部４０１ｂに対して回転軸Ｔまわりに回転可能にホルダ２１８ｂが支持される。ホルダ２１８ｂを保持するアーム部４０１ｂの内部は中空構造になっている。該中空構造にハーネス４０５が挿通されて、パン回転ヒンジ４０２の内部へ配線される。ハーネス４０５は、さらにパン回転ヒンジ４０２の内部から固定部３０の内部まで配線されており、第１の操作部３０１や電源部３０２、表示部３０３等と電気的に接続される。ホルダ２１８ａ、２１８ｂにはそれぞれビス締結穴が形成されている。ビス２２０ａ、２２０ｂによってホルダ２１８ａがベース部材２１２に固定される。また、ビス２２１ａ、２２１ｂによってホルダ２１８ｂがベース部材２１２に固定される。
【００２８】
シャーシ２２４には、複数のビス締結穴が形成されている。シャーシ２２４は、ビス２２５ａ、２２５ｂによって側面カバー２１３に固定される。そして、シャーシ２２４にはプリント基板２２６がビス２２８ａ、２２８ｂ、２２８ｃによってビス締結固定される。プリント基板２２６には種々の電子部品がリフロー半田付け法等によって実装される。プリント基板２２６は、中央制御部２０６、表示制御部２０７及び記録部２１０等を含む。さらに、プリント基板２２６には複数のコネクタが実装されている。フレキシブルプリント基板２１４やハーネス４０５は、プリント基板２２６に電気的に接続される。そして、フレキシブルプリント基板２２７の一端がプリント基板２２６に接続され、他端が撮像部２０１に搭載されているプリント基板に接続されると、撮像部２０１とプリント基板２２６とが電気的に接続される。
【００２９】
背面カバー２２９は、第２の操作部２０２を有する。第２の操作部２０２からはフレキシブルプリント基板２３０が延出している。フレキシブルプリント基板２３０が、プリント基板２２６に実装されているコネクタに接続された状態で、側面カバー２１３と背面カバー２２９とが係合する。背面カバー２２９には、側面カバー２１３に係合するための係合爪が複数箇所に形成されている。側面カバー２１３には、係合爪に対向する位置に係合爪が引っ掛かり取り付く溝部が形成されている。背面カバー２２９が側面カバー２１３に組み付けられると、係合爪が溝部に係合して、抜け止めとして作用する。なお、より確実にカバーの外れを低減させるために、適宜、係合部が接着固定されてもよい。
【００３０】
次に、動画コンテンツの撮影方法およびユーザ操作画面の表示方法について説明する。図４は、動画コンテンツの管理を行うユーザ操作画面を示す図である。該ユーザ操作画面は、表示部３０３に表示される画面である。表示部３０３には、Ｈ軸（第１の軸）方向に沿って、動画コンテンツを表す縮小画像（サムネイル画像）が複数表示されている。表示部３０３に表示されている動画コンテンツの縮小画像は、撮影済みの動画コンテンツ（撮影済みコンテンツ）を表す画像である。該画像は、撮影済みコンテンツを表す画像であれば、縮小画像には限定されない。Ｈ軸は、時間の流れを示す時間軸である。中央制御部２０６は、各動画コンテンツを、Ｈ軸方向において複数のグループに分割して管理する。図４の例では、表示部３０３のＨ軸方向において、グループＡ〜Ｅの縮小画像が表示されている。表示部３０３に表示される縮小画像のグループの数は、任意の数であってよい。
【００３１】
図４の例では、各グループのそれぞれについて、１または複数の縮小画像が、Ｖ軸（第２の軸）方向に沿って表示されている。Ｖ軸は、Ｈ軸と直交する方向の軸である。ユーザは、撮像装置１０に対して所定の操作を行うことで、縮小画像が属するグループを指定することができる。中央制御部２０６は、縮小画像が属するグループを指定する操作に応じて、動画コンテンツとグループとを関連付けることができる。
【００３２】
表示部３０３には、Ｈ軸方向に沿ってタイムライン３１０が表示されている。タイムライン３１０には、各グループのそれぞれに属する１または複数の縮小画像のうち、１つが位置している。第１の操作部３０１のタッチパッド３０１ｃは、該タッチパッド３０１ｃが延在している方向にスライド操作を行うことが可能である。タイムライン３１０は、カーソル３１１を含む。タッチパッド３０１ｃのスライド操作の方向は、タイムライン３１０上のカーソル３１１を移動させる方向に対応している。ユーザは、把持部３０４を片手で把持したまま、タッチパッド３０１ｃをスライド操作することで、タイムライン３１０上の各グループの縮小画像から何れか１つの縮小画像を選択することができる。
【００３３】
ユーザは、動画コンテンツを撮影する際、第１の操作部３０１に設けられた第１のボタン３０１ａまたは第２のボタン３０１ｂを押下操作することができる。第１のボタン３０１ａは、撮影指示を行うための撮影指示手段であり、第１のボタン３０１ａが押下操作されると、動画コンテンツの撮影（テイク）が開始される。中央制御部２０６は、第１のボタン３０１ａが押下操作されることにより取得された動画コンテンツを、既存のグループの何れにも属さない新たなグループの動画コンテンツとして分類する。中央制御部２０６は、新たに撮影された動画コンテンツを、撮影条件を含む撮影情報とともに記録部２１０に記録する。例えば、グループＡ〜Ｄの動画コンテンツが撮影済みの場合において、第１のボタン３０１ａが押下操作されたとする。この場合、中央制御部２０６は、新たなグループＥを生成し、新たに撮影された動画コンテンツをグループＥに属するコンテンツ１として管理する。そして、表示制御部２０７は、グループＥのコンテンツ１を表す縮小画像を表示する制御を行う。同じグループに属する動画コンテンツには、それぞれ異なる番号が付与される。例えば、グループＣに属する４つの動画コンテンツには、撮影順に、コンテンツ１〜４の番号が付与される。表示制御部２０７は、図４の例では、動画コンテンツに対応する縮小画像に、コンテンツの番号を含めている。
【００３４】
第２のボタン３０１ｂは、撮影済みの動画コンテンツの撮り直し等の再撮影を指示するための再撮影指示手段である。ユーザは、再撮影を行う場合、タッチパッド３０１ｃをスライド操作して、縮小画像を選択することで、再撮影を行う対象となる動画コンテンツを選択することができる。再撮影の対象となる動画コンテンツが選択された状態で、第２のボタン３０１ｂが押下操作されると、動画コンテンツの再撮影が行われる。中央制御部２０６は、第２のボタン３０１ｂが押下操作されたことにより取得された動画コンテンツを、再撮影により取得された動画コンテンツとして認識する。そして、中央制御部２０６は、再撮影を行う前に、動画コンテンツの選択がされていない場合には、再撮影により取得された動画コンテンツを、最後に撮影されたグループに分類する。中央制御部２０６は、再撮影された動画コンテンツを、撮影条件を含む撮影情報とともに記録部２１０に記録する。例えば、最後にグループＤのコンテンツ１が撮影されたという状況で、第２のボタン３０１ｂが押下操作されたとする。このとき、動画コンテンツの選択がされていなければ、中央制御部２０６は、再撮影された動画コンテンツを、最後に撮影されたグループＤに属するコンテンツ２として管理する。そして、表示制御部２０７は、表示部３０３にコンテンツ２の縮小画像を表示させる。
【００３５】
上述したように、ユーザがタッチパッド３０１ｃをスライド操作すると、タイムライン３１０のカーソル３１１はＨ軸方向に移動する。ユーザは、第２のボタン３０１ｂを押下操作する前に、タッチパッド３０１ｃを操作することで、再撮影の対象となる動画コンテンツの縮小画像を選択することができる。第２のボタン３０１ｂを押下する前に、動画コンテンツの縮小画像が選択された場合、中央制御部２０６は、再撮影により取得された動画コンテンツを、選択されたグループに分類する。例えば、ユーザが、タッチパッド３０１ｃを操作して、グループＣの縮小画像を選択した後に、第２のボタン３０１ｂを押下操作したとする。この場合、中央制御部２０６は、再撮影により取得された動画コンテンツを、グループＣに属するコンテンツ４として管理する。また、表示制御部２０７は、コンテンツ４を表す縮小画像を、表示部３０３のグループＣに表示する。
【００３６】
最終的には、中央制御部２０６は、各グループに属する複数の動画コンテンツの中からユーザが選んだ動画コンテンツをつなぎ合わせて、１つの動画コンテンツを生成する。生成された動画コンテンツは表示部３０３で再生可能である。図４の例の場合、中央制御部２０６は、タイムライン３１０上にある各グループの縮小画像に対応する動画コンテンツをつなぎ合わせて、１つの動画コンテンツを生成する。上述した例では、Ｈ軸が水平方向、Ｖ軸が垂直方向であるものとして説明したが、Ｈ軸の方向とＶ軸の方向とは異なる方向であれば、任意の方向であってよい。例えば、Ｈ軸の方向とＶ軸の方向とは、斜め方向や円弧に沿った方向等であってもよい。
【００３７】
次に、動画コンテンツの管理処理について説明する。図５は、動画コンテンツの管理処理の流れを示すフローチャートである。中央制御部２０６は、撮影指示がされたかを判定する（Ｓ１）。撮影指示がされたかは、第１のボタン３０１ａが押下操作されたかに基づいて判定される。Ｓ１でＹｅｓと判定された場合、撮像装置１０は動画コンテンツの撮影を開始する（Ｓ２）。撮影されたデータは、順次、記録部２１０に記録されていく。中央制御部２０６は、撮影終了指示が行われたかを判定する（Ｓ３）。第１のボタン３０１ａまたは第２のボタン３０１ｂが押下操作された場合、中央制御部２０６は、撮影終了指示が行われたと判定する。第１のボタン３０１ａと第２のボタン３０１ｂとの何れも押下操作されていない場合、中央制御部２０６は、撮影終了指示が行われていないと判定する。Ｓ３でＮｏと判定された場合、フローは、Ｓ３に戻り、動画コンテンツの撮影が継続する。Ｓ３でＹｅｓと判定された場合、動画コンテンツの撮影が終了し、中央制御部２０６は、撮影したデータを、何れのグループにも属しない新たなグループの動画コンテンツとして分類して管理を行う（Ｓ４）。中央制御部２０６は、撮影時の撮影条件を含む撮影情報とともに、取得した動画コンテンツを記録部２１０に記録する。そして、処理は、終了する。
【００３８】
Ｓ１でＮｏと判定された場合、中央制御部２０６は、再撮影指示が行われたかを判定する（Ｓ５）。第２のボタン３０１ｂが押下操作された場合、中央制御部２０６は、再撮影指示が行われたと判定する。第２のボタン３０１ｂが押下操作されていない場合、中央制御部２０６は、再撮影指示が行われていないと判定する。Ｓ５でＮｏと判定された場合、フローは、Ｓ１に戻る。Ｓ５でＹｅｓと判定された場合、中央制御部２０６は、第２のボタン３０１ｂが押下される前に、動画コンテンツの縮小画像が選択済みであるかを判定する（Ｓ６）。
【００３９】
Ｓ６でＹｅｓと判定された場合、撮像装置１０は、選択された縮小画像に対応する動画コンテンツの再撮影を開始する（Ｓ７）。再撮影されたデータは、順次、記録部２１０に記録されていく。そして、中央制御部２０６は、撮影終了指示が行われたかを判定する（Ｓ８）。撮影終了指示が行われたかの判定は、Ｓ３と同様、第１のボタン３０１ａまたは第２のボタン３０１ｂが押下されかに基づいて行われる。Ｓ８でＮｏと判定された場合、フローは、Ｓ８に戻る。Ｓ８でＹｅｓと判定された場合、中央制御部２０６は、撮影されたデータを動画コンテンツとして、事前に選択された動画コンテンツが属するグループに分類して管理する（Ｓ９）。中央制御部２０６は、撮影時の撮影条件を含む撮影情報とともに、動画コンテンツを記録部２１０に記録する。そして、処理は、終了する。
【００４０】
Ｓ６でＮｏと判定された場合、撮像装置１０は、最後に撮影された動画コンテンツが属するグループとして、動画の再撮影を開始する（Ｓ１０）。再撮影されたデータは、順次、記録部２１０に記録されていく。そして、中央制御部２０６は、撮影終了指示が行われたかを判定する（Ｓ１１）。撮影終了指示が行われたかの判定は、Ｓ３およびＳ８と同様、第１のボタン３０１ａまたは第２のボタン３０１ｂが押下されかに基づいて行われる。Ｓ１１でＮｏと判定された場合、フローは、Ｓ１１に戻る。Ｓ１１でＹｅｓと判定された場合、中央制御部２０６は、撮影されたデータを動画コンテンツとして、最後に撮影された動画コンテンツが属するグループに分類して管理する（Ｓ１２）。中央制御部２０６は、撮影時の撮影条件を含む撮影情報とともに、動画コンテンツを記録部２１０に記録する。そして、処理は、終了する。
【００４１】
次に、縮小画像の並べ替え処理について説明する。図６は、縮小画像の並べ替え処理を説明する図である。図６（ａ）は、図４の表示部３０３に表示されているグループＡ〜ＥのうちグループＣに属する各縮小画像を示す。上述したように、同じグループに属する１または複数の縮小画像は、Ｖ軸に沿って並べられている。表示制御部２０７は、コンテンツ番号およびマークを縮小画像に付与し、該縮小画像を表示部３０３に表示させる制御を行う。図６の例では、コンテンツ番号とマークとは、それぞれ縮小画像の角隅部に表示されている。縮小画像におけるコンテンツ番号およびマークの表示位置は、図６の例には限定されない。縮小画像のマークは、対応する動画コンテンツが撮影されたときの撮影条件を示す。
【００４２】
本実施形態では、表示制御部２０７は、同じ撮影条件で撮影された動画コンテンツを表す縮小画像を纏めて並び替えて、表示部３０３に表示する。図６（ａ）の例は、並び替えが行われていない状態におけるグループＣに属する４つの縮小画像を示している。該４つの縮小画像は、撮影順に、Ｖ軸に沿って表示されている。従って、縮小画像に含まれるコンテンツ番号は、Ｖ軸に沿って、１番から４番までの順で並んでいるが、各縮小画像に含まれるマークは、纏まりがない。ここで、ユーザは、同じ撮影条件で撮影された複数の動画コンテンツを比較して、その中から１つの動画コンテンツを選択し、動画コンテンツの編集を行うことがある。
【００４３】
例えば、撮影条件がレンズユニット５０の種類であるとする。この場合、ユーザは、同じ種類のレンズユニット５０を使用して撮影された複数の動画コンテンツの中から所望の１つの動画コンテンツ（例えば、最も良好に撮影された動画コンテンツ）を選択する。図６（ａ）の例では、コンテンツ１とコンテンツ３とは同じ種類のレンズユニット５０（同じ撮影条件）で撮影された動画コンテンツの縮小画像である。ここで、図６（ａ）のように、縮小画像の並び替えが行われていない場合、ユーザは、同じ種類のレンズユニット５０で撮影された動画コンテンツの縮小画像を見つけ出すことは難しい。特に、再撮影された回数が増えると、再撮影された動画コンテンツの数も増えていき、Ｖ軸方向に沿って表示される縮小画像の数が多くなる。Ｖ軸方向に沿って表示される縮小画像の数が多くなると、同じ種類のレンズユニット５０で撮影された動画コンテンツの複数の縮小画像を比較し、所望の縮小画像を見つけ出すことが難しくなる。
【００４４】
そこで、上述したように、表示制御部２０７は、同じ撮影条件で撮影された複数の動画コンテンツの縮小画像を並び替えて、表示部３０３に表示する。撮影条件がレンズユニット５０の種類である場合、表示制御部２０７は、同じレンズユニット５０の種類で撮影された複数の動画コンテンツの縮小画像を纏めるように並び替えて、表示部３０３に表示する。上記の縮小画像の並び替えは、例えば、タッチパネルディスプレイとして機能する表示部３０３に対して、ユーザにより所定の操作がされた場合に行われてもよいし、自動的に行われてもよい。図６（ｂ）は、上記の縮小画像の並び替えが行われた例を示す。図６（ｂ）の例では、同じ種類のレンズユニット５０で撮影された動画コンテンツを示すコンテンツ１とコンテンツ３とが纏められて並び替えられている。これにより、同じ種類のレンズユニット５０で撮影された複数の動画コンテンツの縮小画像が纏まって表示される。この場合、同じ種類のレンズユニット５０で撮影された複数の動画コンテンツの縮小画像がＶ軸方向に纏まって表示部３０３に表示されるため、ユーザは、同じ撮影条件で撮影された縮小画像の比較をしやすくなる。その結果、ユーザは、所望の縮小画像を選択しやすくなり、動画コンテンツの編集作業が容易になる。
【００４５】
そして、上述したように、マークは、縮小画像に対応する動画コンテンツを撮影したときのレンズユニット５０の種類を示す。表示制御部２０７は、縮小画像にマークを付与する。従って、表示部３０３には、マークごとに、縮小画像が纏まるように並び替えられて表示される。図６（ｂ）の例では、表示制御部２０７は、マークが四角の２つの縮小画像を纏めて表示する。マークが四角の２つの縮小画像は、両者とも同じ撮影条件（同じ種類のレンズユニット５０）で撮影された動画コンテンツを表す。従って、ユーザは、マークを確認することで、同じ撮影条件で撮影された複数の動画コンテンツの縮小画像を比較して、選択する作業を、より容易に行うことができる。
【００４６】
以上は、図４の表示部３０３に表示されているグループＡ〜ＥのうちグループＣについて説明したが、他のグループも同様である。ここで、表示制御部２０７は、図６（ｃ）に示されるように、同じ撮影条件で撮影された動画コンテンツの縮小画像のみを表示部３０３に表示させてもよい。図６（ｃ）の例では、表示部３０３には、マークが四角の２つの縮小画像のみが表示されている。例えば、表示制御部２０７は、タイムライン３１０に位置している縮小画像に対応する動画コンテンツと同じ撮影条件で撮影された動画コンテンツの縮小画像のみを、表示部３０３に表示させてもよい。また、例えば、ユーザ操作により、特定の撮影条件が指定されている場合、表示制御部２０７は、指定された撮影条件と一致する動画コンテンツの縮小画像のみを表示部３０３に表示させてもよい。
【００４７】
上述した例において、撮影条件は、レンズユニット５０（撮影レンズ）の種類であるものとして説明したが、例えば、撮影条件は、アクセサリシュー２０８に装着されているビデオライトや外付けマイク等のアクセサリの使用状況であってもよい。表示制御部２０７は、撮影時のビデオカメラの使用状況が同じ複数の動画コンテンツの縮小画像を纏めて並び替えて表示部３０３に表示してもよい。また、上述したように、ヒンジユニット４０は回転可能であり、ヒンジユニット４０が回転することによって、レンズユニット５０の方向が変化する。表示制御部２０７は、撮影時のレンズユニット５０（撮影レンズ）の向きが同じ複数の動画コンテンツの縮小画像を纏めて並び替えて表示部３０３に表示させてもよい。
【００４８】
また、表示制御部２０７は、動画コンテンツを撮影したときの複数の撮影条件が全て一致している複数の動画コンテンツの縮小画像を纏めて並び替えて表示してもよい。例えば、表示制御部２０７は、撮影時のレンズユニット５０の種類が同じであり、且つビデオライトの使用状況が同じである複数の動画コンテンツを纏めて表示部３０３に表示させてもよい。これにより、複数の撮影条件に基づいて、各縮小画像を纏めて並び替えて表示することができる。また、撮影条件は、例えば、表示部３０３に対するユーザ操作により、任意に変更可能である。
【００４９】
上述した実施形態の表示制御は、撮像装置１０が行うものとして説明した。ただし、実施形態の表示制御は、例えば、スマートフォンや携帯端末、パーソナルコンピュータ等の電子機器が行ってもよい。この場合、電子機器は、撮影機能を有する撮像装置から、複数の撮影済みコンテンツおよび各撮影済みコンテンツを撮影したときの撮影条件を取得する取得手段としての機能を有する。そして、電子機器に接続された表示部または電子機器に設けられた表示部が、取得された撮影済みコンテンツおよび撮影条件の情報に基づいて、本実施形態の表示制御を行ってもよい。
【００５０】
以上、本発明の好ましい実施の形態について説明したが、本発明は上述した各実施の形態に限定されず、その要旨の範囲内で種々の変形及び変更が可能である。本発明は、上述の各実施の形態の１以上の機能を実現するプログラムを、ネットワークや記録媒体を介してシステムや装置に供給し、そのシステム又は装置のコンピュータの１つ以上のプロセッサーがプログラムを読み出して実行する処理でも実現可能である。また、本発明は、１以上の機能を実現する回路（例えば、ＡＳＩＣ）によっても実現可能である。
【符号の説明】
【００５１】
１０      撮像装置
５０      レンズユニット
２０６    中央制御部
２０７    表示制御部
２１０    記録部
２１１  レンズマウント
３０１ａ  第１のボタン
３０１ｂ  第２のボタン
３０１ｃ  タッチパッド
３０３    表示部
【図１】
2020205479.tif 000003
【図２】
2020205479.tif 000004
【図３】
2020205479.tif 000005
【図４】
2020205479.tif 000006
【図５】
2020205479.tif 000007
【図６】
2020205479.tif 000008